(57)【要約】      （修正有）【課題】相手側コネクタとの嵌合力を低減することができるとともに斜め嵌合を防ぐことができるコネクタを提供すること。【解決手段】第１の雌ハウジング５の第１のインシュレータ部５１の両側に第２の雌ハウジング７の第２のインシュレータ部７１を配置するとともに、第２の雌ハウジング７を第１の雌ハウジング５に対してスライド可能にする。第２のインシュレータ部７１の嵌合方向前面が第１のインシュレータ部５１の嵌合方向前面よりも前方に位置した状態で第２の雌ハウジング７をロックするため、第１の雌ハウジング５の係止片５８を、第２の雌ハウジング７に設けた係合片７７に嵌合させる。雄型コネクタ２２の雄コンタクト２４の一部が第２のインシュレータ部７１に挿入された後に係止片５８と係合片７７の係合を解くように、係止片５８を受け入れるスリット２６ｅ内に突部２６ｈを形成し、突部の傾斜面にて係止片５８と係合片７７の嵌合を解除させる。【選択図】図１
2007134237.tif 000002
【特許請求の範囲】
【請求項１】
相手側コネクタの複数の相手側コンタクトのうちの一部のコンタクトに接触可能なコンタクトを保持する少なくとも１つの第１のインシュレータ部を有する第１のハウジングと、
この第１のハウジングに摺動可能に組み付けられ、前記相手側コネクタの前記複数の相手側コンタクトのうちの残部のコンタクトに接触可能なコンタクトを保持する複数の第２のインシュレータ部を有する第２のハウジングと、
前記第２のハウジングを前記第１のハウジングに組み付けたときの、前記第１のインシュレータ部のコネクタ嵌合方向前面と前記第２のインシュレータ部のコネクタ嵌合方向前面とがコネクタ嵌合方向へずれた状態を維持するロック手段と、
前記相手側コネクタを前記第１、第２のハウジングに相対的に所定量押し込むと、前記相手側コネクタの複数の相手側コンタクトのうちの一部のコンタクトが前記第１、第２のインシュレータ部の一方と嵌合するとともに、前記第２のハウジングと前記第１のハウジングとのロック状態が解除され、更に前記相手側コネクタを押し込むと、前記第１、第２のインシュレータ部のコネクタ嵌合方向前面がほぼ面一になる位置まで前記第１、第２のハウジングの一方が相対移動して、前記相手側コネクタの複数の相手側コンタクトのうちの残部のコンタクトを前記第１、第２のインシュレータ部の他方と嵌合させる多段嵌合手段とを備え、
前記第１のインシュレータ部と前記第２のインシュレータ部とは交互に配置されている
ことを特徴とするコネクタ。
【請求項２】
前記第１のハウジングの前記第１のインシュレータ部が１つであり、前記第２のハウジングの前記第２のインシュレータ部が２つであり、
前記第２のハウジングを前記第１のハウジングに組み付けたとき、前記第２のインシュレータ部のコネクタ嵌合方向前面が前記第１のインシュレータ部のコネクタ嵌合方向前面よりもコネクタ嵌合方向前側に位置することを特徴とする請求項１記載のコネクタ。
【発明の詳細な説明】
【技術分野】
【０００１】
この発明はコネクタに関し、特にコネクタを相手側コネクタに嵌合するときの嵌合力を低減することができるコネクタに関する。
【背景技術】
【０００２】
従来、アウターハウジング（第１のハウジング）と可動ターミナルホルダ（第２のハウジング）とを備える雌型コネクタが知られている（下記特許文献１参照）。
【０００３】
アウターハウジングは固定ターミナルホルダ（第１のインシュレータ部）と収容空間とを有する。固定ターミナルホルダは複数の雌ターミナルの一部を保持する。収容空間は固定ターミナルホルダに並べて形成されている。収容空間の内面には抜け止め爪と係止段差とが形成されている。
【０００４】
可動ターミナルホルダは（第２の）インシュレータ部であり、複数の雌ターミナルの残部を保持する。可動ターミナルホルダはアウターハウジングの収容空間に雌型コネクタの嵌合・離脱方向と平行な方向へ移動可能に収容される。可動ターミナルホルダの上面には段差部が形成され、可動ターミナルホルダの両側面及び下面にはそれぞれ係合凹部が形成されている。段差部は係止段差に、係合凹部は抜け止め爪にそれぞれ係合し、可動ターミナルホルダのアウターハウジングに対する嵌合・離脱方向の移動が制限される。
【０００５】
可動ターミナルホルダの前端部の両側面には複数の係止爪（ロック手段）が形成されている。係止爪の両側には補助突部が一体に形成されている。係止爪は、可動ターミナルホルダを収容空間に挿入して可動ターミナルホルダの前端部が収容空間から少し突出したときに、アウターハウジングの前面と係合する。これにより、可動ターミナルホルダの前面とアウターハウジングの前面とが嵌合方向へずれた状態に維持される。
【０００６】
この雌型コネクタの相手側コネクタである雄型コネクタは、雄コネクタハウジングと複数の雄ターミナルとを有する。
【０００７】
雄コネクタハウジングはフード部とターミナル保持部とを有する。フード部はアウターハウジングを受け容れる。フード部の内面には複数の係止解除片が形成されている。ターミナル保持部はフード部の後面に一体に形成されている。
【０００８】
複数の雄ターミナルはターミナル保持部によって保持され、その先端部はフード部内に突出する。
【０００９】
次に、両コネクタの嵌合について説明する。
【００１０】
まず、上述のように、可動ターミナルホルダをアウターハウジングに組み付ける。このとき、可動ターミナルホルダの前端部が収容空間から少し突出し、可動ターミナルホルダの係止爪がアウターハウジングの前面に係合する。
【００１１】
次に、雌型コネクタのアウターハウジングを雄型コネクタのフード部に挿入する。
【００１２】
その途中では、可動ターミナルホルダに設けられた雌ターミナルが雄型コネクタの雄ターミナルの一部と接触するが、係止爪がアウターハウジングの前面に係合しているので、可動ターミナルホルダは動かない。
【００１３】
雄型コネクタのフード部にアウターハウジングが更に入り込むと、係止解除片が補助突部を押圧して係止爪とアウターハウジングの前面との係合が解かれる。その結果、アウターハウジングがフード部の奥に達する。このとき固定ターミナルホルダに設けられた雌ターミナルが雄型コネクタの雄ターミナルの残部と接触する。
【００１４】
以上のように、両コネクタの嵌合の際、複数の雌ターミナルと複数の雄ターミナルとの接触が２回に分けて行なわれるので、複数の雌ターミナルと複数の雄ターミナルとを一時に接触させる方式のコネクタに較べ、雌型コネクタと雄型コネクタとの嵌合力を低減させることができる。
【特許文献１】特開平６−１１１８８２号公報（段落００１２〜００１４、００１７、図１、２参照）
【発明の開示】
【発明が解決しようとする課題】
【００１５】
上述の雌型コネクタでは、雄型コネクタと嵌合するときに、まず可動ターミナルホルダに設けられた複数の雌ターミナルが雄型コネクタの雄ターミナルの一部と接触するので、雌型コネクタの可動ターミナルホルダ側を押し込み難くい反面、固定ターミナルホルダ側を押し込み易い。このため、雌型コネクタの姿勢が雄型コネクタに対して傾き易く、雌型コネクタが雄型コネクタに斜めに嵌合し、いわゆるかじりが生じるおそれがあった。
【００１６】
また、可動ターミナルホルダに設けられた複数の雌ターミナルが雄型コネクタの雄ターミナルの一部と接触した後は、固定ターミナルホルダに設けられた複数の雌ターミナルが雄型コネクタの雄ターミナルの残部と接触するので、やはり雌型コネクタの姿勢が雄型コネクタに対して傾き易く、雌型コネクタが雄型コネクタに斜めに嵌合するおそれがあった。
【００１７】
この発明はこのような事情に鑑みてなされたもので、その課題は相手側コネクタとの嵌合力を低減することができるとともに斜め嵌合を防ぐことができるコネクタを提供することである。
【課題を解決するための手段】
【００１８】
前述の課題を解決するため請求項１の発明のコネクタは、相手側コネクタの複数の相手側コンタクトのうちの一部のコンタクトに接触可能なコンタクトを保持する少なくとも１つの第１のインシュレータ部を有する第１のハウジングと、この第１のハウジングに摺動可能に組み付けられ、前記相手側コネクタの前記複数の相手側コンタクトのうちの残部のコンタクトに接触可能なコンタクトを保持する複数の第２のインシュレータ部を有する第２のハウジングと、前記第２のハウジングを前記第１のハウジングに組み付けたときの、前記第１のインシュレータ部のコネクタ嵌合方向前面と前記第２のインシュレータ部のコネクタ嵌合方向前面とがコネクタ嵌合方向へずれた状態を維持するロック手段と、前記相手側コネクタを前記第１、第２のハウジングに相対的に所定量押し込むと、前記相手側コネクタの複数の相手側コンタクトのうちの一部のコンタクトが前記第１、第２のインシュレータ部の一方と嵌合するとともに、前記第２のハウジングと前記第１のハウジングとのロック状態が解除され、更に前記相手側コネクタを押し込むと、前記第１、第２のインシュレータ部のコネクタ嵌合方向前面がほぼ面一になる位置まで前記第１、第２のハウジングの一方が相対移動して、前記相手側コネクタの複数の相手側コンタクトのうちの残部のコンタクトを前記第１、第２のインシュレータ部の他方と嵌合させる多段嵌合手段とを備え、前記第１のインシュレータ部と前記第２のインシュレータ部とは交互に配置されていることを特徴とする。
【００１９】
上述のように第１のインシュレータ部と第２のインシュレータ部とが交互に配置されているので、コネクタを相手側コネクタに嵌合させるときに、コネクタが相手側コネクタに対してまっすぐに挿入され易くなる。
【００２０】
請求項２の発明は、請求項１記載のコネクタにおいて、前記第１のハウジングの前記第１のインシュレータ部が１つであり、前記第２のハウジングの前記第２のインシュレータ部が２つであり、前記第２のハウジングを前記第１のハウジングに組み付けたとき、前記第２のインシュレータ部のコネクタ嵌合方向前面が前記第１のインシュレータ部のコネクタ嵌合方向前面よりもコネクタ嵌合方向前側に位置することを特徴とする。
【００２１】
相手側コネクタとの嵌合力の低減と斜め嵌合の防止とをより確実に実現し得る。
【発明の効果】
【００２２】
以上説明したようにこの発明のコネクタによれば、相手側コネクタとの嵌合力を低減することができるとともに斜め嵌合を防ぐことができる。
【発明を実施するための最良の形態】
【００２３】
以下、この発明の実施の形態を図面に基づいて説明する。
【００２４】
図１はこの発明の一実施形態に係る雌型コネクタを雄型コネクタに嵌合する前の状態を示す斜視図、図２は図１に示す雌型コネクタの第１の雌ハウジングに第２の雌ハウジングを組み付ける前の状態を示す斜視図、図３は図１に示す雌型コネクタの第１の雌ハウジングに第２の雌ハウジングを組み付けた状態を示す斜視図、図４Ａは図１に示す雌型コネクタの第２のインシュレータ部に雄型コネクタの雄コンタクトの一部が挿入された状態を示す一部切欠き斜視図、図４Ｂは図１に示す雌型コネクタの第１、２のインシュレータ部に雄型コネクタの全ての雄コンタクトが挿入された状態を示す一部切欠き斜視図、図５Ａは雄型コネクタを雌型コネクタのガイド部に装着した状態の平面図、図５Ｂは雄型コネクタの雄コンタクトを雌型コネクタの第２のインシュレータ部に挿入した状態の平面図、図５Ｃは図１に示す雌コネクタの第２の雌ハウジングのロックが解除された状態を示す平面図、図５Ｄは図１に示す雌型コネクタに雄型コネクタが完全に嵌合した状態を示す平面図である。
【００２５】
図１に示すように、雌型コネクタ（コネクタ）１は後述の雄型コネクタ（相手側コネクタ）２２に嵌合される。雌型コネクタ１は図示しない雌コンタクト（コンタクト）と第１の雌ハウジング（第１のハウジング）５と第２の雌ハウジング（第２のハウジング）７と備える。
【００２６】
雌コンタクトはソケット型のコンタクトであり、ソケット部を有する。ソケット部は雄型コネクタ２２のピンコンタクト２４（図４Ａ参照）の接触部２４ａを受け容れてそれに接触する。
【００２７】
図２、３に示すように、第１の雌ハウジング５は１つの第１のインシュレータ部５１と１対のガイド部５２と一対の結合部５４とを有し、それらは絶縁性を有する合成樹脂で一体に形成されている。
【００２８】
第１のインシュレータ部５１はほぼ平板状であり、複数の第１のコンタクト収容孔５１ａを有する。複数の第１のコンタクト収容孔５１ａは第１のインシュレータ部５１の幅方向Ｗ１に沿って２列に並んでいる。また、複数の第１のコンタクト収容孔５１ａは嵌合方向Ｄ１へ延びている。各第１のコンタクト収容孔５１ａ内に雌コンタクトが保持されている。
【００２９】
一対のガイド部５２は第１のインシュレータ部５１の両側に間隔をあけて配置されている。ガイド部５２はほぼ角柱状である。ガイド部５２の第１のインシュレータ部５１と対向する面にはガイド溝５２ａが形成されている。ガイド溝５２ａは嵌合方向Ｄ１へ延びている。
【００３０】
一対の結合部５４はそれぞれ角柱状であり、第１のインシュレータ部５１の幅方向Ｗ１へ延び、第１のインシュレータ部５１と一対のガイド部５２とを結合する。
【００３１】
一対の結合部５４の両端部の後面には一対の規制片５７が一体に形成されている。規制片５７は片持梁状であり、第１のインシュレータ部５１の厚さ方向Ｔへ弾性変形可能である。規制片５７は係止爪５７ａを有する。
【００３２】
一対の結合部５４の両端部の前面には一対の係止片５８が一体に形成されている。係止片５８は係合部５８ａとばね部５８ｂとを有する（図４Ｂ参照）。係合部５８ａはほぼ三角プレート状であり、凹部５８ｃと第１の傾斜面（多段嵌合手段）５８ｄと第２の傾斜面５８ｅとを有する。ばね部５８ｂは片持梁状であり、第１のインシュレータ部５１の厚さ方向Ｔへ弾性変形可能である。
【００３３】
一対の結合部５４と第１のインシュレータ部５１とガイド部５２とで囲まれた２つの空間は挿入孔５９である。挿入孔５９には後述する第２のインシュレータ部７１が挿入される。
【００３４】
第２の雌ハウジング７は２つの第２のインシュレータ部７１と１対のスライド片７３と一対の結合部７５とを有し、それらは絶縁性を有する合成樹脂で一体に形成されている。
【００３５】
２つの第２のインシュレータ部７１はそれぞれほぼ平板状であり、複数の第２のコンタクト収容孔７１ａを有する。第２のインシュレータ部７１の厚さは第１のインシュレータ部５１の厚さに等しい。複数の第２のコンタクト収容孔７１ａは第２のインシュレータ部７１の幅方向Ｗ２に沿って２列に並んでいる。また、複数の第２のコンタクト収容孔７１ａは嵌合方向Ｄ１へ延びている。各第２のコンタクト収容孔７１ａ内に雌コンタクトが保持されている。
【００３６】
第２のインシュレータ部７１の厚さ方向両端面にはそれぞれ係合片７７が形成されている。係合片７７は傾斜面７７ａを有する（図４Ａ参照）。係合片７７は第１の雌ハウジング５の係止片５８の係合部５８ａと係合する。係合片７７と凹部５８ｃとでロック手段が構成される。
【００３７】
一対のスライド片７３はそれぞれ角柱状であり、第２のインシュレータ部７１に形成されている。スライド片７３のインシュレータ部７１側部分の後部には、凹部７３ａが形成されている。スライド片７３のインシュレータ部７１側部分と反対側の部分は第１の雌ハウジング５のガイド部５２のガイド溝５２ａに摺動可能に挿入され、スライド片７３のインシュレータ部７１側部分は一対の規制片５７の間に配置される。凹部７３ａは規制片５７の係止爪５７ａと係合する。これにより、第１の雌ハウジング５に対する第２の雌ハウジング７の離脱方向（嵌合方向Ｄ１と逆方向）Ｄ２への動きが制限される。
【００３８】
一対の結合部７５はそれぞれ角柱状であり、第２のインシュレータ部７１の幅方向Ｗ２へ延び、２つの第２のインシュレータ部７１を間隔をあけた状態で結合する。この間隔は第１のインシュレータ部５１の幅よりも若干大きい。
【００３９】
一対の結合部７５と２つの第２のインシュレータ部７１とで囲まれた空間は挿入孔７８である。挿入孔７８には第１のインシュレータ部５１が挿入される。
【００４０】
次に雄型コネクタ２２について説明する。
【００４１】
図１に示すように、雄型コネクタ２２は複数の雄コンタクト（相手側コンタクト）２４と雄ハウジング２６とを備え、プリント基板９に実装される。
【００４２】
図４Ａに示すように、雄コンタクト２４はほぼＬ字形に折り曲げられたピンコンタクトである。雄コンタクト２４は接触部２４ａと保持部２４ｂとプレスフィット部２４ｃと折曲部２４ｄとを有する。接触部２４ａは雌コンタクトと接触する。保持部２４ｂは雄ハウジング２６に保持される。プレスフィット部２４ｃはプリント基板９のスルーホール９ａに圧入される。折曲部２４ｄは保持部２４ｂとプレスフィット部２４ｃとを結合する。保持部２４ｂは直角に折り曲げられている。
【００４３】
雄ハウジング２６はハウジング本体２６ａとスライド片２６ｂとを備える（図１参照）。
【００４４】
ハウジング本体２６ａは筐体状であり、受容凹部２６ｃと複数のコンタクト挿入孔２６ｄと４つのスリット２６ｅとを有する。受容凹部２６ｃは第１、第２のインシュレータ部５１、７１の嵌合側部を受け容れる。コンタクト挿入孔２６ｄはハウジング本体２６ａの底部２６ｆに２列に形成され、雄コンタクト２４の保持部２４ｂを保持する。スリット２６ｅはハウジング本体２６ａの側壁２６ｇに形成されている。スリット２６ｅは嵌合方向Ｄ１へ延びている。スリット２６ｅは雌型コネクタ１の第１の雌ハウジング５の係止片５８を受け容れる。
【００４５】
スリット２６ｅ内には突部２６ｈが形成されている。突部２６ｈは第１の傾斜面２６ｉと第２の傾斜面２６ｊと平坦面２６ｋと溝２６ｍとを有する。
【００４６】
次に、雌型コネクタ１の第１の雌ハウジング５と第２の雌ハウジング７との組み付けに関して説明する。
【００４７】
まず、図２に示す状態から第２の雌ハウジング７の第２のインシュレータ部７１を第１の雌ハウジング５の挿入孔５９に通す。
【００４８】
次に、第２の雌ハウジング７のスライド片７３を、第１の雌ハウジング５のガイド部５２の溝５２ａに挿入するとともに、規制片５７の係止爪５７ａの間に押し込む。このとき、規制片５７が弾性変形し、係止爪５７ａの間隔が広がり、係止爪５７ａの間にスライド片７３が入り、係止爪５７ａが凹部７３ａと係合する。
【００４９】
また、第１の雌ハウジング５の第１のインシュレータ部５１を第２の雌ハウジング７の挿入孔７８に通す。
【００５０】
更にスライド片７３を押し込むと、係止爪５７ａが凹部７３ａから外れ、規制片５７が元に戻り、係止爪５７ａの間隔が狭くなる。
【００５１】
以上により、図３に示すように、第１の雌ハウジング５と第２の雌ハウジング７との組み付けが完了する。
【００５２】
組み付け後、第２の雌ハウジング７が離脱方向Ｄ２へ移動すると、スライド片７３の凹部７３ａと係止爪５７ａとが係合し、スライド片７３が規制片５７によって係止される。これにより、第２の雌ハウジング７が第１の雌ハウジング５からの離脱しないようになっている。
【００５３】
次に、雌型コネクタ１と雄型コネクタとの嵌合について説明する。
【００５４】
まず、第２の雌ハウジング７の結合片７５が第１の雌ハウジング５の結合片５４に接触するまで第２の雌ハウジング７を嵌合方向Ｄ１に沿って押し込む。
【００５５】
このとき、係合片７７の傾斜面７７ａが係止片５８の係合部５８ａの第２の傾斜面５８ｅと接触し、係合片７７がばね部５８ｂのばね力に抗して係止片５８を跳ね上げる。その後、係合片７７は係止片５８の凹部５８ｃと係合し、係止片５８はばね部５８ｂのばね力によって元の状態に戻り、図４Ａに示す状態になる。
【００５６】
この状態では、係合片７７が凹部５８ｃと係合しているので、第２の雌ハウジング７を離脱方向Ｄ２へ押しても動かない。このとき、第２のインシュレータ部７１の嵌合方向前面は第１のインシュレータ部５１の嵌合方向前面よりも嵌合方向Ｄ１で前方に位置する（図３参照）。
【００５７】
次に、雌型コネクタ１のガイド部５２のガイド溝５２ａに雄型コネクタ２２のスライド片２６ｂを挿入する（図５Ａ参照）。
【００５８】
その後、雄型コネクタ２２を第２の雌ハウジング７の方へ押し込み、雄型コネクタ２２の受容部２６ｃを雌型コネクタ１の第２のインシュレータ部７１に嵌合させる。その結果、第２のインシュレータ部７１に設けられた雌コンタクトの接触部と雄型コネクタ２２の雄コンタクト２４の接触部２４ａとが接触する（図５Ｂ参照）。
【００５９】
このとき、雌コンタクトと雄コンタクト２４との摩擦力によって雌型コネクタ１の第２の雌ハウジング７が押されるが、係合片７７が係止片５８の凹部５８ｃと係合しているので、第２の雌ハウジング７は動かない。
【００６０】
更に雄型コネクタ２２を雌型コネクタ１の方へ押し込むと、雄型コネクタ２２の突部２６ｈの第１の傾斜面２６ｉと第１の雌ハウジング５の係止片５８の係合部５８ａの第１の傾斜面５８ｄとが係合し、その後、突部２６ｈが係止片５８を跳ね上げる。その結果、係止片５８の凹部５８ｃと係合片７７との係合が解かれ、第２の雌ハウジング７が雄型コネクタ２２とともに動く（図５Ｃ参照）。このとき、係合部５８ａが相対的に突部２６ｈの平坦面２６ｋ上を移動し、係合片７７は相対的に突部２６ｈの溝２６ｍ内に入る。最終的に係合部５８ａの第２の傾斜面５８ｅが突部２６ｈの第２の傾斜面２６ｊと係合し、係止片５８は元の状態に戻る（図４Ｂ、図５Ｄ参照）。
【００６１】
以上のようにして、雄型コネクタ２２の雄コンタクト２４が第１の雌ハウジング５の第１のインシュレータ部５１の雌コンタクトに接触し、雄型コネクタ２２が雌型コネクタ１に完全に嵌合される。
【００６２】
雄型コネクタ２２を雌型コネクタ１から離脱させるには、雄型コネクタ２２を雌型コネクタ１から離れるように引っ張れば良い。
【００６３】
このとき、雄型コネクタ２２を雌型コネクタ１に嵌合させるときの動作と逆の動作が行なわれ、最終的に、係合片７７が係止片５８の凹部５８ｃと係合し、第２の雌ハウジング７が第１の雌ハウジング３にロックされ、第２のインシュレータ部７１の嵌合方向前面が第１のインシュレータ部５１の嵌合方向前面よりも嵌合方向Ｄ１で前方に位置することになる。
【００６４】
この実施形態によれば、最初に、第２のインシュレータ部７１の雌コンタクトを雄コンタクト２４の一部に接触させ、その後、第１のインシュレータ部５１の雌コンタクトを残りの雄コンタクト２４に接触させるので、全ての雌コンタクトを一時に雄コンタクト２４に接触させる方式に較べ、嵌合力が低減する。
【００６５】
また、第１のインシュレータ部５１の両側に第２のインシュレータ部７１が配置されているので、第１、第２の雌ハウジング５、７の傾きが防止される。
【００６６】
なお、この実施形態では、第１のインシュレータ部５１は１つで、第２のインシュレータ部７１は２つであるが、第１、第２のインシュレータ部５１，７１の数はこれに限られず、第１のインシュレータ部５１は１つ以上であればよく、第２のインシュレータ部７１は第１のインシュレータ部５１よりも１つ多ければよい。要は第１のインシュレータ部５１と第２のインシュレータ部７１とが嵌合方向Ｄ１と直交する方向に交互に配置されればよい。
【００６７】
また、第２の雌ハウジング７が第１の雌ハウジング３にロックされたとき、第２のインシュレータ部７１の嵌合方向前面が第１のインシュレータ部５１の嵌合方向前面よりも嵌合方向Ｄ１の前方に位置するようにしたが、必ずしもこのように構成する必要は無く、第２の雌ハウジング７が第１の雌ハウジング３にロックされたとき、第１のインシュレータ部５１の嵌合方向前面が第２のインシュレータ部７１の嵌合方向前面よりも嵌合方向Ｄ１の前方に位置するようにしてもよい。
【００６８】
なお、ロック手段として凹部５８ｃと係合片７７との組合せを採用したが、ロック手段はこれに限られない。
【００６９】
また、多段嵌合手段として、第１の傾斜面２６ｉと係合する第１の傾斜面５８ｄを採用したが、多段嵌合手段はこれに限られない。
【図面の簡単な説明】
【００７０】
【図１】図１はこの発明の一実施形態に係る雌型コネクタを雄型コネクタに嵌合する前の状態を示す斜視図である。
【図２】図２は図１に示す雌型コネクタの第１の雌ハウジングに第２の雌ハウジングを組み付ける前の状態を示す斜視図である。
【図３】図３は図１に示す雌型コネクタの第１の雌ハウジングに第２の雌ハウジングを組み付けた状態を示す斜視図である。
【図４Ａ】図４Ａは図１に示す雌型コネクタの第２のインシュレータ部に雄型コネクタの雄コンタクトの一部が挿入された状態を示す一部切欠き斜視図である。
【図４Ｂ】図４Ｂは図１に示す雌型コネクタの第１、２のインシュレータ部に雄型コネクタの全ての雄コンタクトが挿入された状態を示す一部切欠き斜視図である。
【図５Ａ】図５Ａは雄型コネクタを雌型コネクタのガイド部に装着した状態の平面図である。
【図５Ｂ】図５Ｂは雄型コネクタの雄コンタクトを雌型コネクタの第２のインシュレータ部に挿入した状態の平面図である。
【図５Ｃ】図５Ｃは図１に示す雌コネクタの第２の雌ハウジングのロックが解除された状態を示す平面図である。
【図５Ｄ】図５Ｄは図１に示す雌型コネクタに雄型コネクタが完全に嵌合した状態を示す平面図である。
【符号の説明】
【００７１】
１  雌型コネクタ（コネクタ）
３  雌コンタクト（コンタクト）
５  第１の雌ハウジング（第１のハウジング）
５１  第１のインシュレータ部
５８ｃ  凹部
５８ｄ  第１の傾斜面（多段嵌合手段）
７  第２の雌ハウジング（第２のハウジング）
７１  第２のインシュレータ部
７７  係合片
２２  雌型コネクタ
２４  雄コンタクト
【図１】
2007134237.tif 000003
【図２】
2007134237.tif 000004
【図３】
2007134237.tif 000005
【図４Ａ】
2007134237.tif 000006
【図４Ｂ】
2007134237.tif 000007
【図５Ａ】
2007134237.tif 000008
【図５Ｂ】
2007134237.tif 000009
【図５Ｃ】
2007134237.tif 000010
【図５Ｄ】
2007134237.tif 000011